(57)【要約】【課題】  データを同時に送受信することが可能なデータ伝送装置を提供する。【解決手段】  ワイアレスＡＶステーション１０１はノートブック型コンピュータ１０３と第１の無線通信チャネル１４ａおよび第２の無線通信チャネル１４ｂを用いて無線通信を行う。ワイアレスＡＶステーション１０１はノートブック型コンピュータ１０３に対し、ＨＤＤ３１２に記憶されているデータを第１の無線チャネル１４ａを用いて伝送するとともに、入力部２１１から出力される、例えばＴＶチューナによって受信されたＴＶ放送番組に関するデータを第２の無線チャネル１４ｂを用いて伝送する。ノートブック型コンピュータ１０３は受信したこれらのデータをＨＤＤ４０２へ記憶、または表示部４０３へ表示する。【選択図】  図３
2005167365.tif 000002
【特許請求の範囲】
【請求項１】
外部からデータが入力される入力部と、
前記入力部を介して入力されたデータを記憶する記憶部と、
外部機器へ伝送されるデータに前記外部機器での処理内容を表す識別情報を付加する付加手段と、
前記入力部を介して入力されたデータに前記付加手段によって前記識別情報を付加したデータを前記外部機器へ伝送する第１の無線通信手段と、
前記記憶部に記憶されているデータに前記付加手段によって前記識別情報を付加したデータを前記外部機器へ伝送する第２の無線通信手段と、
を具備することを特徴とするデータ伝送装置。
【請求項２】
前記入力部に入力されたデータを記憶するバッファ領域と、
前記第１の無線通信手段は、
前記バッファ領域に記憶されたデータに前記付加手段によって前記識別情報を付加したデータを前記外部機器へ伝送する無線通信手段を含むことを特徴とする請求項１記載のデータ伝送装置。
【請求項３】
外部からデータが入力される第１の入力部と、
外部からデータが入力される第２の入力部と、
外部機器へ伝送されるデータに前記外部機器での処理内容を表す識別情報を付加する付加手段と、
前記第１の入力部を介して入力されたデータに前記付加手段によって前記付加情報を付加したデータを前記外部機器へ伝送する第１の無線通信手段と、
前記第２の入力部を介して入力されたデータに前記付加手段によって前記付加情報を付加したデータを前記外部機器へ伝送する第２の無線通信手段と、
を具備することを特徴とするデータ伝送装置。
【請求項４】
外部からデータが入力される入力部と、
外部機器へ伝送されるデータに前記外部機器での処理内容を表す識別情報を付加する付加手段と、
前記入力部を介して入力されたデータに前記付加手段によって前記識別情報を付加したデータを前記外部機器へ伝送する第１の無線通信手段と、
外部ネットワークとの通信にて伝送されるデータを前記外部機器へ伝送する第２の無線通信手段と、
を具備することを特徴とするデータ伝送装置。
【請求項５】
前記第２の無線通信手段は、
前記外部機器から送信されるデータを本装置へ伝送する無線通信手段を含む請求項４記載のデータ伝送装置。
【請求項６】
ＴＶデータが入力されるＴＶチューナと、
前記ＴＶチューナを介して入力された前記ＴＶデータを記憶する記憶部と、
外部機器へ伝送されるデータに前記外部機器での処理内容を表す識別情報を付加する付加手段と、
前記ＴＶチューナを介して入力された前記ＴＶデータに前記付加手段によって前記識別情報を付加したデータを前記外部機器へ伝送するために使用される第１の無線通信チャネルと、
前記記憶部に記憶されている前記ＴＶデータに前記付加手段によって前記識別情報を付加したデータを前記外部機器へ伝送するために使用される第２の無線通信チャネルと、
を具備することを特徴とするデータ伝送装置。
【請求項７】
第１のＴＶデータが入力される第１のＴＶチューナと、
第２のＴＶ関連データが入力される第２のＴＶチューナと、
外部機器へ伝送されるデータに前記外部機器での処理内容を表す識別情報を付加する付加手段と、
前記第１のＴＶチューナを介して入力された前記第１のＴＶデータに前記付加手段によって前記識別情報を付加したデータを前記外部機器へ伝送するために使用される第１の無線通信チャネルと、
前記第２のＴＶチューナを介して入力された前記第２のＴＶデータに前記付加手段によって前記識別情報を付加したデータを前記外部機器へ伝送するために使用される第２の無線通信チャネルと、
を具備することを特徴とするデータ伝送装置。
【請求項８】
ＴＶデータが入力されるＴＶチューナと、
第１の外部機器の有するコンテンツデータが入力されるコンテンツデータ入力部と、
第２の外部機器へ伝送されるデータに前記第２の外部機器での処理内容を表す識別情報を付加する付加手段と、
前記ＴＶチューナを介して入力された前記ＴＶデータに前記付加手段によって前記識別情報を付加したデータを前記第２の外部機器へ伝送するために使用される第１の無線通信チャネルと、
前記コンテンツデータ入力部を介して入力された前記コンテンツデータに前記付加手段によって前記識別情報を付加したデータを前記第２の外部機器へ伝送するために使用される第２の無線通信チャネルと、
を具備することを特徴とするデータ伝送装置。
【請求項９】
第１の外部機器の有するコンテンツデータが入力されるコンテンツデータ入力部と、
前記コンテンツデータ入力部を介して入力された前記コンテンツデータを記憶する記憶部と、
第２の外部機器へ伝送されるデータに前記第２の外部機器での処理内容を表す識別情報を付加する付加手段と、
前記コンテンツデータ入力部を介して入力された前記コンテンツデータに前記付加手段によって前記識別情報を付加したデータを前記第２の外部機器へ伝送するために使用される第１の無線通信チャネルと、
前記記憶部に記憶されている前記コンテンツデータに前記付加手段によって前記識別情報を付加したデータを前記第２の外部機器へ伝送するために使用される第２の無線通信チャネルと、
を具備することを特徴とするデータ伝送装置。
【請求項１０】
ＴＶデータが入力されるＴＶチューナと、
外部機器へ伝送されるデータに前記外部機器での処理内容を表す識別情報を付加する付加手段と、
前記ＴＶチューナを介して入力された前記ＴＶデータに前記付加手段によって前記識別情報を付加したデータを前記外部機器へ伝送するために使用される第１の無線通信チャネルと、
外部ネットワークとの通信にて伝送されるデータを前記外部機器へ伝送するために使用される第２の無線通信チャネルと、
を具備することを特徴とするデータ伝送装置。
【請求項１１】
記憶部と、
外部機器へ伝送されるデータに前記外部機器での処理内容を表す識別情報を付加する付加手段と、
前記記憶部に記憶されているデータに前記付加手段によって前記識別情報を付加したデータを前記外部機器へ伝送するために使用される第１の無線通信チャネルと、
外部ネットワークとの通信にて伝送されるデータを前記外部機器へ伝送するために使用される第２の無線通信チャネルと、
を具備することを特徴とするデータ伝送装置。
【請求項１２】
第１の外部機器が有するコンテンツデータが入力されるコンテンツデータ入力部と、
第２の外部機器へ伝送されるデータに前記第２の外部機器での処理内容を表す識別情報を付加する付加手段と、
前記コンテンツデータ入力部を介して入力された前記コンテンツデータに前記付加手段によって前記識別情報を付加したデータを前記第２の外部機器へ伝送するために使用される第１の無線通信チャネルと、
外部ネットワークとの通信にて伝送されるデータを前記第２の外部機器へ伝送するために使用される第２の無線通信チャネルと、
を具備することを特徴とするデータ伝送装置。
【請求項１３】
前記第２の無線通信チャネルは、
前記第２の外部機器から送信されるデータを本装置へ伝送するために使用される無線通信チャネルであることを含む請求項１０乃至１２記載のデータ伝送装置。
【請求項１４】
外部機器との間で送受信されるデータを伝送する第１の無線通信手段と、
前記外部機器との間で送受信されるデータを伝送する第２の無線通信手段と、
記憶処理を実行させる識別情報が付加されているとともに前記外部機器から前記第１の無線通信手段または前記第２の無線通信手段の何れか一つを介して伝送されるデータを受信する受信手段と、
前記受信手段によって受信した前記データに付加されている前記識別情報を参照することで記憶部に前記データを記憶させる手段と、
を具備することを特徴とする情報処理装置。
【請求項１５】
外部機器との間で送受信されるデータを伝送する第１の無線通信手段と、
前記外部機器との間で送受信されるデータを伝送する第２の無線通信手段と、
記憶処理を実行させる第１の識別情報が付加されているとともに前記第１の無線通信手段を用いて前記外部機器から伝送される第１のデータを受信する第１の受信手段と、
表示処理を実行させる第２の識別情報が付加されているとともに前記第２の無線通信手段を用いて前記外部機器から伝送される第２のデータを受信する第２の受信手段と、
前記第１の受信手段によって受信した前記第１のデータに付加されている第１の識別情報を参照することで記憶部に前記第１のデータを記憶させる手段と、
前記第２の受信手段によって受信した前記第２のデータに付加されている第２の識別情報を参照することで表示部に前記第２のデータを表示させる手段と、
を具備することを特徴とする情報処理装置。
【請求項１６】
外部機器との間で送受信されるデータを伝送する第１の無線通信手段と、
記憶処理を実行させる識別情報が付加されているとともに前記第１の無線通信手段を用いて前記外部機器から伝送されるデータを受信する受信手段と、
前記第１の受信手段によって受信した前記データに付加されている識別情報を参照することで記憶部に前記データを記憶させる手段と、
前記外部機器を介して外部ネットワークと通信を行う際に前記外部機器との間で送受信されるデータを伝送する第２の無線通信手段と、
を具備することを特徴とする情報処理装置。
【請求項１７】
外部機器との間で送受信されるデータを伝送する第１の無線通信手段と、
表示処理を実行させる識別情報が付加されているとともに前記第１の無線通信手段を用いて前記外部機器から伝送されるデータを受信する受信手段と、
前記第１の受信手段によって受信した前記データに付加されている識別情報を参照することで表示部に前記データを表示させる手段と、
前記外部機器を介して外部ネットワークと通信を行う際に前記外部機器との間で送受信されるデータを伝送する第２の無線通信手段と、
を具備することを特徴とする情報処理装置。
【請求項１８】
入力部を介して入力されたデータを記憶する記憶部を有するデータ伝送装置のデータ伝送方法において、
外部機器へ伝送されるデータに前記外部機器での処理内容を表す識別情報を付加する付加ステップと、
前記入力部を介して入力されたデータに前記付加ステップによって前記識別情報を付加したデータを前記外部機器へ伝送する第１のデータ伝送ステップと、
前記記憶部に記憶されているデータに前記付加ステップによって前記識別情報を付加したデータを前記外部機器へ伝送する第２のデータ伝送ステップと、
を具備することを特徴とするデータ伝送方法。
【請求項１９】
外部から第１のデータが入力される第１の入力部および外部から第２のデータが入力される第２の入力部を有するデータ伝送装置のデータ伝送方法において、
外部機器へ伝送されるデータに前記外部機器での処理内容を表す識別情報を付加する付加ステップと、
前記第１の入力部を介して入力された第１のデータに前記付加ステップによって前記付加情報を付加したデータを前記外部機器へ伝送する第１のデータ伝送ステップと、
前記第２の入力部を介して入力された第２のデータに前記付加ステップによって前記付加情報を付加したデータを前記外部機器へ伝送する第２のデータ伝送ステップと、
を具備することを特徴とするデータ伝送方法。
【請求項２０】
外部からデータが入力される入力部を有するデータ伝送装置のデータ伝送方法において、
外部機器へ伝送されるデータに前記外部機器での処理内容を表す識別情報を付加する付加ステップと、
前記入力部を介して入力されたデータに前記付加ステップによって前記識別情報を付加したデータを前記外部機器へ伝送する第１のデータ伝送ステップと、
外部ネットワークとの通信にて伝送されるデータを前記外部機器へ伝送する第２のデータ伝送ステップと、
を具備することを特徴とするデータ伝送方法。
【請求項２１】
前記第２のデータ伝送ステップは、
前記外部機器から送信されるデータを本装置へ伝送するデータ伝送ステップを含む請求項２０記載のデータ伝送方法。
【発明の詳細な説明】
【技術分野】
【０００１】
本発明は、例えばホームサーバといったデータ伝送装置に関し、特に、情報処理装置からの要求に応じて映像・音声データを入出力する機能を有するデータ伝送装置及び同装置で用いられるデータ伝送方法に関する。
【背景技術】
【０００２】
近年、情報処理技術及び通信技術の進展に伴い、ＴＶ、オーディオ機器を始めとする電子機器同士を接続するためのホームネットワークシステムの開発が進められている。
【０００３】
ホームネットワークシステムにおいて、ホームサーバはネットワークを介してパーソナルコンピュータといった情報処理装置と接続される。最近では、該情報処理装置が接続されるローカルネットワークとインターネットを始めとする外部ネットワークとの間を接続するためのルータ機能を有するホームサーバも開発されている。ホームサーバに接続されている情報処理装置は、ホームサーバを介して、該ホームサーバと接続されている他の情報処理装置、及びインターネット上のＷｅｂサーバ等と通信を行うことが可能である。
【０００４】
さらに、ＴＶ番組を始めとする放送データを受信するＴＶ機能、及び例えばビデオカメラといった外部機器から入力される映像・音声データを取り込む機能を搭載したホームサーバも開発されている。ホームサーバは入力部から入力される放送データをはじめとする映像・音声データを、出力部を介してＴＶ受像機へ出力したり、該ホームサーバに設けられている磁気ディスクドライブ装置に記憶させることが可能である。磁気ディスクドライブ装置に記憶された映像・音声データは、出力部を介してＴＶ受像機へ出力することも可能である。
【０００５】
また、ホームサーバは、入力部から入力される放送データをはじめとする映像・放送データまたは磁気ディスクドライブ装置に記憶された映像・音声データを、ネットワークを介して情報処理装置に出力することが可能であり、情報処理装置は、受信した該映像・音声データを再生することが可能であった（特許文献１参照。）。
【特許文献１】特開２００３−２２４７３９号公報（第３頁、第１図）
【発明の開示】
【発明が解決しようとする課題】
【０００６】
しかし、特許文献１に開示された発明では、ホームサーバと情報処理装置とがネットワークを介して互いに無線通信を行う場合、例えばホームサーバが放送データをはじめとする映像・放送データを情報処理装置に出力するとともに、情報処理装置がホームサーバを介してインターネット上のＷｅｂサーバ等と通信を行うといった、ホームサーバおよび情報処理装置間においてデータを同時に送受信することが不可能であった。
【０００７】
そこで、本発明は上述の事情を考慮してなされたものであり、データを同時に送受信することが可能なデータ伝送装置を提供することを目的とする。
【課題を解決するための手段】
【０００８】
上記目的を達成するために、請求項１に係る発明では、外部からデータが入力される入力部と、入力部を介して入力されたデータを記憶する記憶部と、外部機器へ伝送されるデータに外部機器での処理内容を表す識別情報を付加する付加手段と、入力部を介して入力されたデータに付加手段によって識別情報を付加したデータを外部機器へ伝送する第１の無線通信手段と、記憶部に記憶されているデータに付加手段によって識別情報を付加したデータを外部機器へ伝送する第２の無線通信手段とを具備することを特徴とする。
【発明の効果】
【０００９】
本発明によれば、データを同時に送受信することが可能である。
【発明を実施するための最良の形態】
【００１０】
以下本発明に係る実施の形態を、図面を参照して説明する。
【００１１】
図１は、本発明の実施形態に係るデータ伝送装置を用いたホームネットワークシステムの構成を示す。このホームネットワークシステムは、ワイアレスＡＶステーション１０１、ＴＶ受像機１０２、ノートブック型コンピュータ１０３、１０６、デスクトップ型コンピュータ１０４、外部機器１０５等から構成されている。
【００１２】
ワイアレスＡＶステーション１０１は、ホームサーバとして機能するデータ伝送装置である。このワイアレスＡＶステーション１０１は、例えばＴＶ番組といった放送番組データの視聴、外部機器１０５から入力されるコンテンツデータの視聴、及びインターネット１２への接続といったサービスを、家庭内の無線又は有線のローカルネットワークを介して、ノートブック型コンピュータ１０３、１０６及びデスクトップ型コンピュータ１０４等の情報処理装置に提供する。
【００１３】
ワイアレスＡＶステーション１０１は、例えばＩＳＤＮ（Integrated Services Digital Network）、ＡＤＳＬ（Asymmetric Digital Subscriber line）、ＣＡＴＶ（Cable TV）などの通信回線を介して、インターネット１２等の外部のグローバルネットワーク（外部ネットワーク）に接続されている。さらに、ワイアレスＡＶステーション１０１は、家庭内の有線又は無線のローカルネットワークを介して、家庭内の各情報処理装置に接続されている。
【００１４】
ノートブック型コンピュータ１０３、１０６及びデスクトップ型コンピュータ１０４の夫々は、ワイアレスＡＶステーション１０１のクライアントとしても機能する端末である。ノートブック型コンピュータ１０３および１０６には無線通信装置が設けられており、ワイアレスＡＶステーション１０１に無線通信ネットワーク（無線ＬＡＮ）１４を介して接続することが可能である。デスクトップ型コンピュータ１０４は、有線通信ネットワーク（有線ＬＡＮ）１３を介してワイアレスＡＶステーション１０１に接続することが可能である。
【００１５】
ワイアレスＡＶステーション１０１は、ノートブック型コンピュータ１０３、１０６及びデスクトップ型コンピュータ１０４夫々をインターネット１２に接続し、インターネット１２上のＷｅｂサイトとノートブック型コンピュータ１０３、１０６及びデスクトップ型コンピュータ１０４との間のデータの送受信を行う。
【００１６】
屋外に設置されたＴＶ放送受信アンテナ１１に接続されるアンテナケーブルは屋内に引き込まれている。このアンテナケーブルにはＴＶ受像機１０２とワイアレスＡＶステーション１０１とが接続されている。放送局等から送信されるＴＶ番組データはＴＶ受像機１０２にて受信及び再生可能であり、また、ワイアレスＡＶステーション１０１でも受信することが可能である。ワイアレスＡＶステーション１０１は、受信した放送番組データを、家庭内の無線又は有線のローカルネットワークを介して、ノートブック型コンピュータ１０３、１０６及びデスクトップ型コンピュータ１０４に送信する。また、ワイアレスＡＶステーション１０１は、受信した放送番組データをＴＶ受像機１０２に出力することが可能である。
【００１７】
ワイアレスＡＶステーション１０１は、例えば、ビデオプレーヤ、カメラ、オーディオプレーヤといった外部機器１０５にも接続されている。ワイアレスＡＶステーション１０１は、外部機器１０５からコンテンツデータを受信することが可能である。ワイアレスＡＶステーション１０１は、受信したコンテンツデータを、家庭内の無線又は有線のローカルネットワークを介して、ノートブック型コンピュータ１０３、１０６及びデスクトップ型コンピュータ１０４に送信する。また、ワイアレスＡＶステーション１０１は、受信したコンテンツデータをＴＶ受像機１０２に出力することが可能である。
【００１８】
ワイアレスＡＶステーション１０１によって提供される主な機能を以下に説明する。
【００１９】
・ルータ機能
ルータ機能とは、家庭内の無線又は有線のローカルネットワーク１３、１４とインターネット１２との間を接続する機能である。この機能を利用することにより、ノートブック型コンピュータ１０３、１０６及びデスクトップ型コンピュータ１０４の夫々は、インターネット１２上のＷｅｂサイトとの通信、ローカルネットワークに接続されている他の情報処理装置と通信することが可能である。
【００２０】
・ＴＶ機能
ＴＶ機能とは、家庭内の無線又は有線のローカルネットワーク１３、１４に接続されたノートブック型コンピュータ１０３、１０６及びデスクトップ型コンピュータ１０４からの要求に応じて、放送番組データを受信する機能である。ワイアレスＡＶステーション１０１は、受信した放送番組データを要求元の情報処理装置に送信したり、ＴＶ受像機１０２へ出力することが可能である。ワイアレスＡＶステーション１０１は、複数の情報処理装置がＴＶ機能を利用可能とするために、複数の放送番組受信データユニットを具備している。
【００２１】
・ＴＶ録画機能
ワイアレスＡＶステーション１０１は、放送番組データを記録するための大容量ストレージデバイスとして、例えば磁気ディスクドライブ装置（ハードディスクドライブ：ＨＤＤ）を具備する。ワイアレスＡＶステーション１０１は、例えば現在放送中の放送番組データを情報処理装置に送信しながら、磁気ディスクドライブ装置に記憶することが可能である。また、ワイアレスＡＶステーション１０１は、磁気ディスクドライブ装置に記憶されている放送番組データを情報処理装置に送信しつつ、該情報処理装置に送信されている放送番組データとは異なる放送番組データを受信し、磁気ディスクドライブ装置に記憶することが可能である。さらに、ワイアレスＡＶステーション１０１は、磁気ディスクドライブ装置に記憶された放送番組データをＴＶ受像機１０２に出力可能である。
【００２２】
・外部入力機能
外部入力機能とは、家庭内の無線又は有線のローカルネットワーク１３、１４に接続されたノートブック型コンピュータ１０３、１０６及びデスクトップ型コンピュータ１０４からの要求に応じて、外部機器１０５からのコンテンツデータを受信（入力）する機能である。ワイアレスＡＶステーション１０１は、外部機器１０５から受信したコンテンツデータを要求元の情報処理装置に送信したり、ＴＶ受像機１０２に出力可能である。また、ワイアレスＡＶステーション１０１は、外部機器１０５から受信したコンテンツデータを磁気ディスクドライブ装置に記憶することが可能である。
【００２３】
・コンテンツサーバ機能
ワイアレスＡＶステーション１０１は、家庭内の無線又は有線のローカルネットワーク１３、１４に接続されたノートブック型コンピュータ１０３、１０６及びデスクトップ型コンピュータ１０４からの要求に応じて、磁気ディスクドライブ装置に記憶された放送番組データ又はコンテンツデータを、要求元の情報処理装置に送信することが可能である。
【００２４】
・遠隔制御機能
ワイアレスＡＶステーション１０１のＴＶ機能、ＴＶ録画機能、外部入力機能、コンテンツサーバ機能は、家庭内の無線又は有線のローカルネットワーク１３、１４に接続されたノートブック型コンピュータ１０３、１０６及びデスクトップ型コンピュータ１０４の夫々から遠隔制御を行うことが可能である。また、ワイアレスＡＶステーション１０１を操作するリモートコントローラユニットを用いて、ワイアレスＡＶステーション１０１のＴＶ機能、ＴＶ録画機能、外部入力機能、コンテンツサーバ機能を制御することが可能である。
【００２５】
次に、図２を参照して、本発明の第１の実施形態に係るワイアレスＡＶステーション１０１のシステム構成について説明する。
【００２６】
ワイアレスＡＶステーション１０１は、ＡＶ部２１、システム部３１、電源部４１及び電源制御部４２を備えている。ＡＶ部２１は、第１の入力部２１１、第１の出力部２１２、ＰＣＩバスインターフェイス（ＰＣＩ  Ｉ／Ｆ）２１３を具備し、前述のＴＶ機能、ＴＶ録画機能、外部入力機能を実行する際に使用される。
【００２７】
第１の入力部２１１は、ＴＶチューナ２２１、ビデオデコーダ２２２、オーディオアナログデジタルコンバータ（ＡＤＣ）２２３、ＭＰＥＧエンコーダ２２４とから構成される。ＴＶチューナ２２１はＴＶアンテナ１１に接続されている。ＴＶチューナ２２１は、例えば、家庭内の無線又は有線のローカルネットワーク１３、１４に接続されたノートブック型コンピュータ１０３、１０６及びデスクトップ型コンピュータ１０４から要求された放送番組に関するデータを受信するデバイスであり、ＴＶ受信要求等に基いて、例えば、所定の番組チャネルの選択動作、ＴＶ番組に関するデータの受信動作等を行う。
【００２８】
ビデオデコーダ２２２は、ＴＶチューナ１０１から出力される映像信号をデジタル信号に変換する。また、ビデオデコーダ２２２は、ビデオプレーヤ、カメラといった外部機器１０５から出力される映像信号をもデジタル信号に変換する。オーディオＡＤＣ２２３は、ＴＶチューナ１０１から出力される音声信号をデジタル信号に変換する。また、オーディオＡＤＣ２２３は、ビデオプレーヤ、カメラ、オーディオプレーヤといった外部機器１０５から出力される音声信号をもデジタル信号に変換する。
【００２９】
ＭＰＥＧエンコーダ２２４は、ビデオデコーダ２２２で変換されたデジタル映像信号とオーディオＡＤＣ２２３で変換されたデジタル音声信号との間で同期をとり、これらのデジタル信号をＭＰＥＧ方式に従って符号圧縮化を行う。
【００３０】
ＭＰＥＧ方式に従って符号圧縮化されることで生成されたデジタル信号を、要求元の情報処理装置に送信する場合、又は、システム部３１内のＨＤＤ３１２に記憶する場合は、ＰＣＩバスインターフェイス（ＰＣＩ  Ｉ／Ｆ）２１３、及びバス１０を介して、システム部３１に送信される。なお、ＭＰＥＧエンコーダ２２４によって生成されたデジタル信号を要求元の情報処理装置に送信する場合、該ＭＰＥＧエンコーダ２２４によって生成されたデジタル信号をバッファ領域等に蓄積し、バッファ領域に蓄積されたデジタル信号を要求元の情報処理装置に送信する。
【００３１】
ＴＶチューナ２２１によって受信されたＴＶ番組に関するデータをＴＶ受像機１０２に出力しながらシステム部３１内のＨＤＤ３１２に記憶させる場合、ＭＰＥＧエンコーダ２２４によって符号圧縮化されたデジタル信号は、ＰＣＩバスインターフェイス２１３を介してシステム部３１に送信されるとともに、後述で説明する第１の出力部２１２の構成の一つであるＭＰＥＧデコーダ２３１に送信される。ＴＶチューナ２２１によって受信されたＴＶ番組に関するデータをＴＶ受像機１０２に出力する場合、ＭＰＥＧエンコーダ２２４によって符号圧縮化されたデジタル信号は、ＰＣＩバスインターフェイス２１３を介してＭＰＥＧデコーダ２３１へ送信される。
【００３２】
第１の出力部２１２は、ＭＰＥＧデコーダ２３１、ビデオエンコーダ２３２、オーディオデジタルアナログコンバータ（ＤＡＣ）２３３とから構成される。ＭＰＥＧデコーダ２３１は、ＭＰＥＧ方式に従って符号圧縮化されたデータからデジタル映像信号とデジタル音声信号とを生成する。このＭＰＥＧデコーダ２３１は、ＴＶチューナ２２１によって受信されたＴＶ放送番組に関するデータをＴＶ受像機１０２に出力する場合、又は、システム部３１内のＨＤＤ３１２に記憶されているＭＰＥＧ方式に従って符号圧縮化されたデジタル信号をＴＶ受像機１０２に出力する場合に使用される。
【００３３】
ビデオエンコーダ２３２は、ＭＰＥＧデコーダ２３１で生成されたデジタル映像信号をアナログ映像信号へ変換する。また、オーディオＤＡＣ２３３は、ＭＰＥＧデコーダ２３１で生成されたデジタル音声信号をアナログ音声信号へ変換する。これらのアナログ映像信号及びアナログ音声信号は、ＴＶ受像機１０２に出力される。以上説明したとおり、ＡＶ部２１を構成する第１の入力部２１１は、ワイアレスＡＶステーション１０１に入力される映像及び音声データの処理を行い、ＡＶ部２１を構成する第１の出力部２１２は、第１の入力部２１１で処理されたデータ又は、システム部３１のＨＤＤ３１２に記憶されているデータを、ワイアレスＡＶステーション１０１から出力される映像及び音声データ形式に変換するといった処理を行う。
【００３４】
システム部３１は、システム制御部３１１、ＨＤＤ３１２、通信部３１３、リモコンコントローラ３１４を具備する。
【００３５】
システム制御部３１１は、ワイアレスＡＶステーション１０１の動作を制御する。システム制御部３１１は、リモートコントローラ３１４によって受信されるリモコンユニットからのＴＶ／コンテンツデータ視聴要求、及び通信部３１３によって受信される家庭内の無線又は有線のローカルネットワーク１３、１４に接続されたノートブック型コンピュータ１０３、１０６又はデスクトップ型コンピュータ１０４からのＴＶ／コンテンツデータ視聴要求に応じて、ＡＶ部２１の動作を制御する。また、システム制御部３１１は、第１の入力部２１１及び第１の出力部２１２夫々の使用状況を監視する監視機能と、使用されていない第１の入力部２１１又は第１の出力部２１２に対する電源供給をオフにするために、第１の入力部２１１の電源供給オン／オフと第１の出力部２１２の電源供給オン／オフとを制御する電源制御機能とを有する。
【００３６】
通信部３１３は、上述したルータ機能を実行するためのデバイスであり、家庭内のローカルネットワーク（有線ＬＡＮ１３、無線ＬＡＮ１４）とインターネット１２との間のデータ伝送を実行する。通信部３１３は、ＩＰマスカレード（IP masquerade）機能、ＮＡＴ（Network Address Translation）機能、ＤＨＣＰ（Dynamic Host Configuration Protocol）機能等を具備している。通信部３１３は、インターネット１２側に接続する際に使用されるＷＡＮポート、有線ＬＡＮ１３に接続する際に使用されるＬＡＮポート、及び無線ＬＡＮ１４と接続する際に使用される無線通信デバイスを具備する。通信部３１３は、家庭内のローカルネットワーク（有線ＬＡＮ１３、無線ＬＡＮ１４）を介するノートブック型コンピュータ１０３、１０６とデスクトップ型コンピュータ１０４との間のデータ伝送、及びノートブック型コンピュータ１０３、１０６又はデスクトップ型コンピュータ１０４とインターネット１２との間のデータ伝送を制御する。
【００３７】
通信部３１３は、バス１０を介してシステム制御部３１１を接続されており、ノートブック型コンピュータ１０３、１０６又はデスクトップ型コンピュータ１０４からＴＶ／コンテンツデータ視聴要求を受信した場合は、この受信したＴＶ／コンテンツデータ視聴要求をシステム制御部３１１へ送信する。さらに、通信部３１３は、ＡＶ部２１で受信されるＴＶ番組放送データ／コンテンツデータを、システム制御部３１１の制御の下に、ローカルネットワークを介してノートブック型コンピュータ１０３、１０６又はデスクトップ型コンピュータ１０４へ送信する機能も具備している。
【００３８】
リモートコントローラ３１４は、リモコンユニット１０７との通信を制御する。リモコンユニット１０７から送信されるＴＶ番組放送データ／コンテンツデータ視聴要求はリモートコントローラ３１４によって受信され、パス１０を介してシステム制御部３１１に送信される。
【００３９】
電源部４１はワイアレスＡＶステーション１０１を構成する各モジュールに動作電源を供給する電源装置である。
【００４０】
電源制御部４２は、システム制御部３１１からの要求に応じて、電源部４１に電源制御信号４２ａを供給するとともに、電源部４１から送信される電源ステータス信号４２ｂによって電源部４１の動作監視を行う。
【００４１】
次に、図３を参照して、ワイアレスＡＶステーション１０１とノートブック型コンピュータ１０３との間で行われる無線通信を説明する。
【００４２】
ワイアレスＡＶステーション１０１はノートブック型コンピュータ１０３と無線ＬＡＮ１４を介して無線通信を行う。この無線通信は第１の無線通信チャネル１４ａおよび第２の無線通信チャネル１４ｂを用いて行われる。
【００４３】
ワイアレスＡＶステーション１０１は例えばＨＤＤ３１２に記憶されているデータを通信部３１３を介して第１の無線通信チャネル１４ａまたは第２の無線通信チャネル１４ｂを用いてノートブック型コンピュータ１０３に伝送するとともに、ＴＶチューナ２２１によって受信されたＴＶ放送番組に関するデータを、ＨＤＤ３１２に記憶されているデータをノートブック型コンピュータ１０３に伝送するために使用する無線通信チャネルとは異なる無線通信チャネルを用いて、ノートブック型コンピュータ１０３に伝送する。
【００４４】
ノートブック型コンピュータ１０３はワイアレスＡＶステーション１０１から第１の無線通信チャネル１４ａおよび第２の無線通信チャネル１４ｂを通じて伝送されてきたＴＶ放送番組に関するデータまたは外部機器１０５から入力されたコンテンツデータ等を通信部４０１を用いて受信する。
【００４５】
ノートブック型コンピュータ１０３は通信部４０１にて受信したデータはＣＰＵ４００による制御によって、外部記憶装置であるＨＤＤ４０２に記憶されたり、表示部４０３に表示される。
【００４６】
図４は、ワイアレスＡＶステーション１０１によって行われるデータ送信処理を説明するフローチャートである。
【００４７】
ワイアレスＡＶステーション１０１は、ノートブック型コンピュータ１０３に送信するデータの種類を判別する。例えば、送信されるデータがノートブック型コンピュータ１０３のＨＤＤ４０２に記憶されるデータであるか、または表示部４０３に表示されるデータであるかを判別する（ステップ  Ｓ１００）。
【００４８】
送信されるデータがノートブック型コンピュータ１０３のＨＤＤ４０２に記憶されるデータである場合（ステップ  Ｓ１００  Ｙｅｓ）、ＲＴＰ（Ｒｅａｌ−Ｔｉｍｅ  Ｔｒａｎｓｐｏｒｔ  Ｐｒｏｔｏｃｏｌ）に準じて送信されるデータにおけるヘッダのＳＳＲＣ（Ｓｙｎｃｈｒｏｎｉｚａｔｉｏｎ  Ｓｏｕｒｃｅ  ｉｄｅｎｔｉｆｉｅｒ）を、録画用（ＨＤＤへ記憶）を意味するＩＤへ変更する（ステップ  Ｓ１０１）。
【００４９】
一方、送信されるデータがノートブック型コンピュータ１０３の表示部４０３に表示されるデータである場合（ステップ  Ｓ１０１  Ｎｏ）、ＲＴＰに準じて送信されるデータにおけるヘッダのＳＳＲＣを、表示用（表示部へ表示）を意味するＩＤへ変更する（ステップ  Ｓ１０２）。
【００５０】
ワイアレスＡＶステーション１０１は、ヘッダのＳＳＲＣを適切に変更したデータを、第１の無線通信チャネル１４ａまたは第２の無線通信チャネル１４ｂを用いてノートブック型コンピュータ１０３へ送信する。
【００５１】
図５は、ノートブック型コンピュータ１０３によって行われるデータ受信処理を説明するフローチャートである。
【００５２】
ノートブック型コンピュータ１０３はワイアレスＡＶステーション１０１より第１の無線通信チャネル１４ａまたは第２の無線通信チャネル１４ｂを用いて送信されたデータを通信部４０１にて受信する（ステップ  Ｓ１１０）。
【００５３】
通信部４０１によって受信されたデータにおけるヘッダのＳＳＲＣを参照した結果、録画用を意味するＩＤである場合（ステップ  Ｓ１１１  Ｙｅｓ）、該受信されたデータをＨＤＤ４０２に記憶する（ステップ  Ｓ１１２）。
【００５４】
一方、通信部４０１によって受信されたデータにおけるヘッダのＳＳＲＣを参照した結果、表示用を意味するＩＤである場合（ステップ  Ｓ１１１  Ｎｏ）、該受信されたデータを表示部４０３に表示する（ステップ  Ｓ１１３）。
【００５５】
このように、ワイアレスＡＶステーション１０１が第１の無線通信チャネル１４ａまたは第２の無線通信チャネル１４ｂを用いてノートブック型コンピュータ１０３へヘッダのＳＳＲＣを適切に変更したデータを転送することで、ノートブック型コンピュータ１０３は受信データにおけるヘッダのＳＳＲＣを参照し該データをＨＤＤ４０２へ記憶または表示部４０３へ表示することが可能となる。
【００５６】
また、ノートブック型コンピュータ１０３は第１の無線通信チャネル１４ａまたは第２の無線通信チャネル１４ｂを用いてワイアレスＡＶステーション１０１から送信される、ヘッダのＳＳＲＣを適切に変更されたデータを受信するとともに、ワイアレスＡＶステーション１０１からのヘッダのＳＳＲＣを適切に変更されたデータ送信のため使用されない無線通信チャネルを使用して、ワイアレスＡＶステーション１０１の通信部３１３を介してインターネット１２に接続することが可能である。
【００５７】
つまり、ノートブック型コンピュータ１０３は、ワイアレスＡＶステーション１０１にて受信されるとともにヘッダのＳＳＲＣを適切に変更したＴＶ放送番組に関するデータを例えば第１の無線通信チャネル１４ａを通じて受信し、該受信したデータをＨＤＤ４０２へ記憶または表示部４０３へ表示させるとともに、第２の無線通信チャネル１４ｂを用いてワイアレスＡＶステーション１０１の通信部３１３を介するＷｅｂサイトの閲覧等を行うことが可能である。
【００５８】
さらに、図２を用いて説明したワイアレスＡＶステーション１０１のＡＶ部２１の一構成であるＴＶチューナ２２１を複数設ける構成にすることで、ワイアレスＡＶステーション１０１はノートブック型コンピュータ１０３に対し、第１のＴＶチューナによって受信した第１のＴＶ番組に関するデータを第１の無線通信チャネル１４ａを用いて送信するとともに、第２のＴＶチューナによって受信した第２のＴＶ番組に関するデータを第２の無線通信チャネル１４ｂを用いて送信することが可能である。そして、第１のＴＶ番組に関するデータおよび第２のＴＶ番組に関するデータを受信したノートブック型コンピュータ１０３は、例えば第１のＴＶ番組に関するデータをＨＤＤ４０２に記憶し、第２のＴＶ番組に関するデータを表示部４０３に表示させることが可能である。
【００５９】
なお、本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００６０】
【図１】本発明の実施形態に係るデータ伝送装置を用いたホームネットワークシステムの構成を示す図。
【図２】本発明の第１の実施形態に係るワイアレスＡＶステーションのシステム構成を示す図。
【図３】本発明の第１の実施形態に係るワイアレスＡＶステーション内に配される電源供給系統を示す図。
【図４】ワイアレスＡＶステーションによって行われるデータ送信処理を説明するフローチャート。
【図５】ノートブック型コンピュータによって行われるデータ受信処理を説明するフローチャート。
【符号の説明】
【００６１】
１０１…ワイアレスＡＶステーション、
１０２…ＴＶ受像機、１０３…ノートブック型コンピュータ、
１０４…デスクトップ型コンピュータ、１０５…外部機器、
２２１…ＴＶチューナ、
【図１】
2005167365.tif 000003
【図２】
2005167365.tif 000004
【図３】
2005167365.tif 000005
【図４】
2005167365.tif 000006
【図５】
2005167365.tif 000007